(57)【特許請求の範囲】
【請求項１】
互いに角度をなす取付部(1)と囲繞部(2)を備え、壁面緑化する下垂型のツル性植物(T)の垂下部(T’)を漏斗状の受口(3)から該囲繞部(2)に導いて風圧等による揺れを防止するためのもので、
該囲繞部(2)は、一対の枠部(4)、該枠部(4)の末端で屈曲して該受口(3)を現出する一対の受口部(5)、及び該一対の受口部(5)の各末端に続き狭幅のネック(6)を現出する一対のネック部(7)で構成され、
該受口部(5)は該枠部(4)を含む平面(P1)に対し角度(α)で傾斜する斜面(P2)上へ伸長しており、
該ネック部(7)には相対する間隔が該受口(3)側に対しネック(6)の開口面(8)側で近接して該開口面(8)へのツル性植物の垂下部(T’)の侵入は許すが脱出に抵抗する逆止機構(9)が設けられている
ことを特長とするツル性植物の捕捉具。
【請求項２】
該ネック部(7)は該受口部(5)の末端から、該斜面(P2)上で該受口部(5)と角度(β)をなして伸長している請求項１に記載のツル性植物の捕捉具。
【請求項３】
該逆止機構(9)は該ネック部(7)に配設した可撓性部材(91)となっている請求項１又は２に記載のツル性植物の捕捉具。
【請求項４】
該可撓性部材(91)はシリコンゴム、合成ゴム、天然ゴム及びプラスチックの何れか一つで構成されたパイプ(911)で、該パイプ(911)は一端部で該ネック部(7)に圧嵌している請求項３に記載のツル性植物の捕捉具。
【請求項５】
該可撓性部材(91)はコイルスプリング(913)で、該コイルスプリング(913)は一端部で該ネック部(7)に螺合されている請求項３に記載のツル性植物の捕捉具。
【請求項６】
該可撓性部材(91)は該ネック部(7)から延出する棒材(914)である請求項３に記載のツル性植物の捕捉具。
【請求項７】
該可撓性部材(91)は該ネック部(7)から延出する薄板材(916)で、該薄板材(916)はその板面が対向して配設される請求項３に記載のツル性植物の捕捉具。
【発明の詳細な説明】
【技術分野】
【０００１】
本発明は、のり面や建造物壁面を緑化するために使用されるツル性植物の捕捉具において、一旦拘束した緑化用植物の逸脱を防ぐ型式のものに関する。
【背景技術】
【０００２】
下垂植物を対象とした壁面緑化装置として、下垂植物の拘束手段が、本件特許出願人の関与した特許文献１に開示されている。
【先行技術文献】
【特許文献】
【０００３】
【特許文献１】特開２０１０−７５０５３号公報
【発明の概要】
【発明が解決しようとする課題】
【０００４】
特許文献１の下垂緑化用材は、下垂植物Ｐを囲い込み部２に導入する受け口２２とネック部２３が同一平面上に位置しているので、垂下しているツル性植物はこの平面上に位置して該線材と接触する部分でしかネック部２３に導入されない。
【０００５】
又、ネック部２３は平面が直角四辺形状なので、一旦このネック部２３を通って囲い込み部２に入り込んだ下垂植物Ｐも、風圧等で揺動すると再びこのネック部２３に入り込んで受け口２２から外部へ逃避する恐れがあった。
【０００６】
本発明は、一旦囲繞部に入り込んだ下垂植物の拘束を確実にして、揺動しても逸脱しないツル性植物の捕捉具を提供することを目的とする。
【課題を解決するための手段】
【０００７】
（請求項１）本発明に係るツル性植物の捕捉具は、互いに角度をなす取付部と囲繞部を備え、壁面緑化用のツル性植物の垂下部を漏斗状の受口から該囲繞部に捕捉して風圧等による揺れを防止する下垂緑化用材を改良したものである。
【０００８】
該囲繞部は、一対の枠部、該枠部の末端で屈曲して該受口を現出する一対の受口部、及び該一対の受口部の末端に続き狭幅のネックを現出する一対のネック部で構成される。
【０００９】
該受口部は該枠部を含む平面に対し角度をもって傾斜する斜面上へ伸長している。そして、該ネック部には相対する間隔が該受口側に対し該ネックの開口面側で近接して該開口面へのツル性植物の垂下部の侵入は許すが脱出に抵抗する逆止機構が配設されている。
【００１０】
該ネック部に配設された逆止機構により、一旦該受口から該囲繞部に捕捉されたツル性植物は、風圧等により揺動しても、該開口面を通りにくく、ネックを通って再び外部へ抜け出る恐れが少ない。
【００１１】
また、該受口部は該枠部を含む平面に対し角度をもって傾斜する斜面上へ伸長しているので、ツル性植物の垂れ下がっているツルを、該枠部と同じ高さの部分では該受口部が該枠部から屈曲している部分の近傍で該受口部に導き、また、該枠部より低い部分では該受口部が該ネック部に続く部分の近傍で該受口部に導いて、該囲繞部に導入できる。
【００１２】
（請求項２）該ネック部は該受口部の末端から、該斜面上で該受口部と角度をもって伸長していてもよい。
こうすると、該ネック部は互いのなす角度が小さくなり、該ネックは該受口側が広い梯形状となるので、ツル性植物を導入させ易い。
【００１３】
（請求項３）該逆止機構は該ネック部に配設した可撓性部材となっていてもよい。
こうすると、可撓性部材同士は互いに密接させて開口面を閉鎖し易く、逆止機構はその機能をほぼ完全に発揮して、ツル性植物が囲繞部からネックに入り込んで受口へ抜け出すのを効果的に防止する。また、該ネック部に対する該可撓性部材の配設を圧嵌等の着脱機能手段でなせば、該可撓性部材が損傷した場合、新品との交換も容易に行える
【００１４】
（請求項４）該可撓性部材はシリコンゴム、合成ゴム、天然ゴム及びプラスチックの何れか一つで構成されたパイプで、該パイプは一端部で該ネック部に圧嵌されていてもよい。
こうすると、該パイプの孔に該ネック部を嵌め込んで配設できるので、配設作業が簡単となる。この場合、特に固着手段を採用しない限り、該パイプと該ネック部は嵌脱自在となる。
【００１５】
（請求項５）該可撓性部材はコイルスプリングで、該コイルスプリングは一端部で該ネック部に螺合されていてもよい。
こうすると、該コイルスプリングを該可撓性部材にねじ込むだけで配設できる。この場合も、段落００１４で述べた嵌脱自在にできる。
【００１６】
（請求項６）該可撓性部材は該ネック部から延出する棒材であってもよい。
こうすると、該棒材は構造が単純で、損傷しにくい。該棒材を該ネック部に配設するには、該棒材の一端部に嵌合用の筒部を形成し、又は一端部端面を該ネック部端面と接着すればよい。
【００１７】
（請求項７）該可撓性部材は該ネック部から延出する薄板材で、該薄板材はその板面が対向して配設されるものであってもよい。
こうすると、ツル性植物は相対する板面間を移動するので、該薄板材の縁と当接して損傷する恐れがない。
【発明の効果】
【００１８】
本発明に係るツル性植物の捕捉具によれば、該ネック部にネックの開口面用の逆止機構が設けられているので、一旦該受口から該囲繞部に捕捉されたツル性植物は、風圧等により揺動しても、該開口面を通りにくく、ネックを通って再び外部へ抜け出る恐れが少ない。
【００１９】
また、該受口部は該枠部を含む平面に対し角度をもって傾斜する斜面上へ伸長しているので、ツル性植物の垂れ下がっているツルを、該枠部と同じ高さの部分では該受口部が該枠部から屈曲している部分の近傍で、また、該枠部より低い部分では該受口部が該ネック部に続く部分の近傍で、それぞれ該受口部に導入して該囲繞部に捕捉でき、ツルの誘導範囲を広げられる。
【００２０】
請求項２によれば、該ネック部は互いのなす角度が小さくなるので、該ネックは該受口側が広い梯形状となってツル性植物を導入させ易い。
【００２１】
請求項３によれば、可撓性部材同士は互いに密接させて開口面を閉鎖し易く、逆止機構はその機能をほぼ完全に発揮して、ツル性植物が囲繞部からネックに入り込んで受口へ抜け出すのを効果的に防止する。
【００２２】
請求項４によれば、該パイプの孔に該ネック部を嵌め込んで配設できるので、配設作業が簡単となる。
【００２３】
請求項５によれば、該コイルスプリングを該可撓性部材にねじ込むだけで配設できる。
【００２４】
請求項６によれば、該棒材は構造が単純で、損傷しにくい。
【００２５】
請求項７によれば、ツル性植物は相対する板面間を移動するので、該薄板材の縁と当接して損傷する恐れがない。
【図面の簡単な説明】
【００２６】
【図１】本発明にかかるツル性植物の捕捉具の実施例を、緑化面Ｇに設置した状態で示す斜面図である。
【図２】同平面図である。
【図３】正面図である。
【図４】下垂性のツル性植物Ｔによって緑化面Ｇが一部緑化され、この植物Ｔが捕捉具の囲繞部２に捕捉されている状態の斜面図である。
【図５】可撓性部材の具体例を示す一部切断面図である。
【図６】可撓性部材がパイプの例を示す図である。
【図７】可撓性部材がスプリングの例を示す図である。
【図８】可撓性部材が棒材の例を示す図である。
【図９】可撓性部材が薄板材の例を示す図である。
【発明を実施するための形態】
【００２７】
（請求項１）この捕捉具は、先に示した先行文献に示されたとおり、壁面緑化する下垂型のツル性植物Ｔの垂下部Ｔ’を漏斗状の受口３から囲繞部２に導いて風圧等による揺れを防止するためのものである。
この囲繞部２は、一対の枠部４、この枠部４の末端で屈曲して受口３を現出する一対の受口部５、及びこの一対の受口部５の各末端に続き狭幅のネック６を現出する一対のネック部７で構成される。この受口部５は枠部４を含む平面Ｐ1に対し角度αで傾斜する斜面Ｐ2上へ伸長している。
そして、このネック部７には相対する間隔が受け口３側に対しネック６の開口面８側で近接して開口面８へのツル性植物の垂下部Ｔ’の侵入は許すが脱出に抵抗する逆止機構９が設けられている。
【００２８】
ネック部７にネック６の開口面８用の逆止機構９が設けられているので、一旦受口３を通って囲繞部２に捕捉されたツル性植物Ｔは、風圧等により揺動しても、開口面８を通りにくく、ネック６を通って再び外部へ抜け出る恐れが少ない。
【００２９】
また、受口部５は枠部２を含む平面Ｐ1に対し角度αで傾斜する斜面Ｐ2上へ伸長しているので、ツル性植物Ｔの垂下部Ｔ’を、枠部４と同じ高さの部分では受口部５が枠部４から屈曲している部分の近傍で受口３に導いて囲繞部２に捕捉でき、また、枠部４より低い部分では受口部５がネック部７に続く部分の近傍で受口３に導いて囲繞部２に捕捉できる。従って、ツルの誘導捕捉範囲を広げられる。
【００３０】
（請求項２）ネック部７は受口部５の末端から、斜面Ｐ2上で受口部５と角度βをなして伸長している。
この場合、ネック部７は互いのなす角度が小さくなるのでネック６は受口３側が広い梯形状となり、ツル性植物Ｔを導入させ易い。
【００３１】
（請求項３）逆止機構９はネック部７に配設した可撓性部材９１となっている。
この場合、可撓性部材９１同士は互いに近接させて開口面８を閉鎖状態に近くし易く、逆止機構９はその機能をほぼ完全に発揮して、ツル性植物Ｔが囲繞部２からネック６に入り込んで受口３へ抜け出すのを効果的に防止する。また、ネック部７に対する可撓性部材９１の配設を圧嵌等の着脱機能手段でなせば、可撓性部材９１が損傷した場合、新品との交換も容易に行える。
【００３２】
（請求項４）可撓性部材９１はシリコンゴム、合成ゴム、天然ゴム及びプラスチックの何れか一つで構成されたパイプ９１１で、このパイプ９１１は一端部でネック部７に圧嵌されている。
この場合、パイプ９１１の孔９１２にネック部７を嵌め込んで配設できるので、配設作業が簡単となる。特に固着手段を採用しない限り、パイプ９１１とネック部７は嵌脱自在となる。
【００３３】
（請求項５）可撓性部材９１はコイルスプリング９１３で、このコイルスプリング９１３は一端部でネック部７に螺合されている。
この場合、コイルスプリング９１３を可撓性部材９１にねじ込むだけで配設できる。この場合も、段落００１４で述べた嵌脱自在にできる。
【００３４】
（請求項６）可撓性部材９１はネック部７から延出する棒材９１４である。
この場合、棒材９１４は構造が単純で、損傷しにくい。この棒材９１４をネック部７に配設するには、棒材９１４の一端部に嵌合用の筒部９１５を形成するか、又は端面同士の接着構造とすればよい。
【００３５】
（請求項７）可撓性部材９１はネック部７から延出する薄板材９１６で、この薄板材９１６はその板面９１７が対向して配設される。
この場合、ツル性植物Ｔは相対する板面９１７間を移動するので、薄板材９１６の縁と当接して損傷する恐れがない。この薄板材９１６をネック部７に配設するには、薄板材９１６の一端部に嵌合用の筒部９１５を形成し、すり割り９１８方式により弾着させればよい。
【符号の説明】
【００３６】
１      取付部
２      囲繞部
Ｔ      ツル性植物
Ｔ’    垂下部
３      受口
４      枠部
５      受口部
６      ネック
７      ネック部
８      開口面
９      逆止機構
９１    可撓性部材
９１１  パイプ
９１２  孔
９１３  コイルスプリング
９１４  棒材
９１５  筒部
９１６  薄板材
９１７  板面
９１８  すり割り
Ｐ１     平面
Ｐ2      斜面
α      角度
β      角度
Ｇ      緑化面
【図１】
0006570056.tif 000002
【図２】
0006570056.tif 000003
【図３】
0006570056.tif 000004
【図４】
0006570056.tif 000005
【図５】
0006570056.tif 000006
【図６】
0006570056.tif 000007
【図７】
0006570056.tif 000008
【図８】
0006570056.tif 000009
【図９】
0006570056.tif 000010